(57)【要約】【課題】一定の開口幅を有する物品投入口を、投入物品の左右寸法と対応する開口幅の物品投入口に複数に仕切ることにより、サイズや種類等の異なる物品を仕分けして投入しうるようにした収納箱体を提供する。【解決手段】物品投入口９の左右方向の中間部における上下の開口縁に、仕切り部材１８の上下の端部を前方より着脱可能に係合することにより、物品投入口９を、仕切り部材１８をもって左右複数に仕切る。【選択図】  図１
2009190753.tif 000002
【特許請求の範囲】
【請求項１】
物品収納室の前面板に、左右方向に長い長孔形状の物品投入口を設けてなる収納箱体において、前記物品投入口の左右方向の中間部における上下の開口縁に、仕切り部材の上下の端部を前方より着脱可能に係合することにより、前記物品投入口を、仕切り部材をもって左右複数に仕切ったことを特徴とする物品投入口を有する収納箱体。
【請求項２】
仕切り部材が、物品投入口の上下の開口縁の前面に当接する上向係止部と下向係止部を上下両端に有する基片と、この基片の上下の端部に後向きに連設され、物品投入口に前方より嵌合される上下１対の嵌合片とを備えるものとした請求項１記載の物品投入口を有する収納箱体。
【請求項３】
物品投入口の上下の開口縁に、後方を向き、かつ仕切り部材における上下の嵌合片が嵌合される上下１対のガイド片を連設してなる請求項２記載の物品投入口を有する収納箱体。
【請求項４】
上下の嵌合片の少なくともいずれか一方を、上下方向に弾性変形可能としてなる請求項２または３記載の物品投入口を有する収納箱体。
【請求項５】
仕切り部材の上下の嵌合片と物品投入口の上下のガイド片とを、共に後ろ下方に傾斜させ、物品投入口の下側の開口縁部上面を上向きの凸曲面とするとともに、仕切り部材における下側の嵌合片と下向係止部との連設隅部下面を、前記凸曲面と補形をなす上向きの凹曲面とし、前記凸曲面に凹曲面を前方より当接させた状態で、仕切り部材を後向きに回動させることにより、その上下の嵌合片を前記上下のガイド片間に嵌合させてなる請求項３または４記載の物品投入口を有する収納箱体。
【請求項６】
物品投入口の下側のガイド片を、物品収納室内まで延出させてなる請求項３〜５のいずれかに記載の物品投入口を有する収納箱体。
【請求項７】
物品投入口の上側の開口縁部下面を、下向きの凸曲面とするとともに、仕切り部材の上側の嵌合片と上向係止部との連設隅部上面に、前記凸曲面に嵌合される、それと補形をなす凹曲面を形成してなる請求項３〜６のいずれかに記載の物品投入口を有する収納箱体。
【請求項８】
物品投入口の上下のガイド片の少なくともいずれか一方に被係合部を、かつ仕切り部材の上下の嵌合片のいずれか一方に、前記被係合部に係合可能な係合部を設けてなる３〜７のいずれかに記載の物品投入口を有する収納箱体。
【請求項９】
前面板の前面と仕切り部材の前面同士を、互いにほぼ同一面に整合させてなる請求項１〜８のいずれかに記載の物品投入口を有する収納箱体。
【請求項１０】
物品収納室内における仕切り部材の取付部と対応する位置に、物品収納室を左右に仕切る第２の仕切り部材を設けてなる請求項１〜９のいずれかに記載の物品投入口を有する収納箱体。
【発明の詳細な説明】
【技術分野】
【０００１】
本発明は、物品投入口を複数に仕切ることにより、サイズや種類等の異なる物品を、収納室内に、仕分けして、かつ整然と揃えて投入しうるようにした収納箱体に関する。
【背景技術】
【０００２】
例えば特許文献１に記載されているように、不要となった書類等を収納室内に投入するために設けられた物品投入口の開口幅は、予め定めた一定の大きさに固定的に設けられているのが一般的である。
また、一般に、郵便ポストやメールボックス等の物品投入口の開口幅も、上記と同様、一定の大きさのものとなっている。
【特許文献１】特開２００３−３２５２５０号公報
【発明の開示】
【発明が解決しようとする課題】
【０００３】
上記のように、物品投入口の左右幅を一定の大きさに固定してしまうと、サイズや種類等の異なる物品を、収納室内に、仕分けして投入することができないだけでなく、例えば、最大、Ａ３サイズまでの書類等が投入可能に設定された物品投入口より、Ａ４サイズの書類等を投入しようとした際、物品投入口の開口幅が大きいために、Ａ４サイズの書類等の左右位置が定まらず、収納室に投入された書類等が乱雑となる。
こようになると、収納室より書類等を取り出し、再利用あるいは廃棄処分などを行なう際に、書類等を揃える必要があり、手間かかるという問題がある。
【０００４】
本発明は、従来の技術が有する上記のような問題点に鑑み、一定の開口幅を有する物品投入口を、投入物品の左右寸法と対応する開口幅の物品投入口に複数に仕切ることにより、サイズや種類等の異なる物品を仕分けして投入しうるようにし、かつ投入物品が収納室内に整然と収容され、乱雑となるのを防止しうるようにした、物品投入口を有する収納箱体を提供することを目的としている。
【課題を解決するための手段】
【０００５】
本発明によると、上記課題は次のようにして解決される。
（１）物品収納室の前面板に、左右方向に長い長孔形状の物品投入口を設けてなる収納箱体において、前記物品投入口の左右方向の中間部における上下の開口縁に、仕切り部材の上下の端部を前方より着脱可能に係合することにより、前記物品投入口を、仕切り部材をもって左右複数に仕切る。
【０００６】
（２）上記(１)項において、仕切り部材が、物品投入口の上下の開口縁の前面に当接する上向係止部と下向係止部を上下両端に有する基片と、この基片の上下の端部に後向きに連設され、物品投入口に前方より嵌合される上下１対の嵌合片とを備えるものとする。
【０００７】
（３）上記(２)項において、物品投入口の上下の開口縁に、後方を向き、かつ仕切り部材における上下の嵌合片が嵌合される上下１対のガイド片を連設する。
【０００８】
（４）上記(２)または(３)項において、上下の嵌合片の少なくともいずれか一方を、上下方向に弾性変形可能とする。
【０００９】
（５）上記(３)または(４)項において、仕切り部材の上下の嵌合片と物品投入口の上下のガイド片とを、共に後ろ下方に傾斜させ、物品投入口の下側の開口縁部上面を上向きの凸曲面とするとともに、仕切り部材における下側の嵌合片と下向係止部との連設隅部下面を、前記凸曲面と補形をなす上向きの凹曲面とし、前記凸曲面に凹曲面を前方より当接させた状態で、仕切り部材を後向きに回動させることにより、その上下の嵌合片を前記上下のガイド片間に嵌合させる。
【００１０】
（６）上記(３)〜(５)項のいずれかにおいて、物品投入口の下側のガイド片を、物品収納室内まで延出させる。
【００１１】
（７）上記(３)〜(６)項のいずれかにおいて、物品投入口の上側の開口縁部下面を、下向きの凸曲面とするとともに、仕切り部材の上側の嵌合片と上向係止部との連設隅部上面に、前記凸曲面に嵌合される、それと補形をなす凹曲面を形成する。
【００１２】
（８）上記(３)〜(７)項のいずれかにおいて、物品投入口の上下のガイド片の少なくともいずれか一方に被係合部を、かつ仕切り部材の上下の嵌合片のいずれか一方に、前記被係合部に係合可能な係合部を設ける。
【００１３】
（９）上記(１)〜(８)項のいずれかにおいて、前面板の前面と仕切り部材の前面同士を、互いにほぼ同一面に整合させる。
【００１４】
(１０)上記(１)〜(９)項のいずれかにおいて、物品収納室内における仕切り部材の取付部と対応する位置に、物品収納室を左右に仕切る第２の仕切り部材を設ける。
【発明の効果】
【００１５】
請求項１記載の発明によれば、物品投入口の上下の開口縁に、仕切り部材の上下の端部を前方より係合するだけで、一定の開口幅の物品投入口を、投入物品の左右寸法と対応する開口幅の物品投入口に簡単に仕切ることができる。従って、サイズや種類等の異なる物品を、仕切られた複数の物品投入口より仕分けして投入しうるとともに、投入物品が収納室内に整然と収容され、乱雑となるのを防止することができる。
また、仕切り部材は前方より着脱可能であるので、その左右方向の取付位置を、投入物品のサイズに応じて容易に変更することができる。
【００１６】
請求項２記載の発明によれば、基片の上下の端部に後向きに連設した上下１対の嵌合片が、前方より仕切り部材を物品投入口に嵌合する際のガイド機能を有するので、物品投入口に仕切り部材を容易に嵌合して取付けることができる。
また、仕切り部材を後限位置まで嵌合すると、基片の上下両端に設けた上向係止部と下向係止部が、物品投入口の上下の開口縁の前面に当接するので、仕切り部材のがたつきが抑えられる。
【００１７】
請求項３記載の発明によれば、仕切り部材の上下の嵌合片が、物品投入口の上下１対のガイド片に沿って、かつ上下方向に位置決めされた状態で嵌合されるので、物品投入口に、仕切り部材を、前方より極めて容易に取付けることができる。
また、上下の嵌合片とガイド片同士が、互いに広い領域で接触するので、仕切り部材が安定よく取付けられるとともに、前方に抜け外れる恐れが小さくなる。
【００１８】
請求項４記載の発明によれば、上下の嵌合片の少なくともいずれか一方を、上下方向に弾性変形させた状態で、物品投入口の上下のガイド片間に嵌合すると、上下の嵌合片が両ガイド片に圧接するようになるので、仕切り部材が物品投入口より抜け外れる恐れがさらに小さくなる。従って、仕切り部材固定用のねじ等の固定手段や特別な加工等が必要なくなり、コスト低減が図れる。
【００１９】
請求項５記載の発明によれば、仕切り部材の前端下部の凹曲面を、物品投入口の下側の開口縁部の凸曲面に当接させ、この凸曲面を支点として、仕切り部材を後向きに回動させるだけの簡単な操作で、これを物品投入口に装着することができる。この際、仕切り部材の上下の嵌合片と物品投入口の上下のガイド片は、共に後ろ下方に傾斜させてあるので、互いの嵌合の妨げになることはない。
【００２０】
請求項６記載の発明によれば、投入物品が、下側のガイド片により、物品収納室内まで案内されるので、物品収納室に整然と収容されるようになる。
【００２１】
請求項７記載の発明によれば、仕切り部材の上側の嵌合片と上向係止部との連設隅部上面に設けた凹曲面が、物品投入口の上側の開口縁部下面に設けた下向きの凸曲面に嵌合しているので、仕切り部材の上端部が、物品投入口の上部の開口縁に安定よく保持され、前方に抜け出すのが防止される。
【００２２】
請求項８記載の発明によれば、仕切り部材が前方に抜け外れるのが確実に防止される。
【００２３】
請求項９記載の発明によれば、仕切り部材取付時の体裁を向上させることができる。
【００２４】
請求項１０記載の発明によれば、第２の仕切り部材により仕切られた物品収納室内に、投入された物品が整然と積み重ねられて収容されるので、それを取り出す際に、揃える手間が省ける。
【発明を実施するための最良の形態】
【００２５】
以下、本発明の一実施形態を、添付図面を参照して説明する。
図１は、事務室等において、コピー用紙やその他の書類等を保管する際に用いられる収納什器の正面図を示すもので、例えば未使用のコピー用紙やその他の書類等を保管しておく左側の収納箱体１と、その右側面に固定された左右幅の大きな本発明の収納箱体２とからなり、右側の収納箱体２は、例えば使用済のコピー用紙やその他の書類等を保管し、再利用するために用いられる。
【００２６】
収納箱体２の内部の収納空間は、上下２枚の物品載置板３、３により、上下３室の物品収納室４に仕切られている。各物品収納室４の前面を覆っている前面板５は、右側端を中心として前方に開閉可能な開閉扉となっており、その左側端部の上下方向の中央部には、取っ手６と鍵７が設けられている。
【００２７】
図２の拡大断面図に示すように、前面板５は、鋼板製の前板５aと後板５bとを、互いに前後に離間するように結合して形成され、前板５aにおける各物品収納室４の上端部と対応する位置に穿設された左右方向を向く上下３個の長孔８の開口縁には、それぞれ、開口幅が左右方向に長い物品投入口９を有する合成樹脂製のガイド部材１０が嵌め込まれている。なお、各物品投入口９の開口幅は、例えばＡ３サイズのコピー用紙や書類等を、長辺側を左右方向に向けて投入可能な寸法としてある。
【００２８】
各ガイド部材１０における物品投入口９の上下の開口縁には、互いにほぼ平行をなして後ろ下方に傾斜する上部ガイド片１１と下部ガイド片１２が、左右方向に全長に亘って後向きに連設されている。下部ガイド片１２は、前面板５の後板５bに穿設された、物品投入用の左右方向を向く開口１３を挿通して後方に所要寸法突出する長さとされ、そのやや後部寄りの下面に連設された左右複数の下向片１４が、止めねじ１５をもって後板５bの後面に固定されている。
【００２９】
上部ガイド片１１の基部下面、すなわち、物品投入口９における上側の開口縁部の下面は、下向きの凸曲面１６としてあり、また、物品投入口９の下側の開口縁部の上面は、上向きの凸曲面１７としてある。
【００３０】
最上部のガイド部材１０の物品投入口９は、合成樹脂よりなる仕切り部材１８により、次のようにして仕切られている。
図３及び図４に示すように、仕切り部材１８は、上下方向を向く長方形の基片１９と、その上端部の左右方向の中央部後面に連設された、上下方向に弾性変形可能な後ろ下方に傾斜する上部嵌合片２０と、同じく、基片１９の両側端部後面より後向きに突出する、側面視ほぼ直角三角形をなす左右１対の側片２１、２１と、基片１９の下端部の後面に、両側片２１の下辺に沿って連設された、上部嵌合片２０とほぼ平行をなすように後ろ下方に傾斜する下部嵌合片２２とからなり、基片１９の上下の端部における上下の嵌合片２０、２２の基部よりも上方と下方に突出する部分は、物品投入口９の上下の開口縁の前面に当接可能な上向係止部２３、及び下向係止部２４となっている。
【００３１】
上部嵌合片２０と下部嵌合片２２の離間寸法は、上部嵌合片２０を若干下方に撓ませて、ガイド部材１０における上部ガイド片１１と下部ガイド片１２との対向面間に、がたなく嵌合しうるように設定されている。
【００３２】
上部嵌合片２０と上向係止部２３との連設隅部の上面には、ガイド部材１０の下向きの凸曲面１６に嵌合される、それと補形をなす下方に凹入する凹曲面２５が形成され、また下部嵌合片２２と下向係合部２４との連設隅部の下面には、ガイド部材１０の上向の凸曲面１７に当接する、それと補形をなす上方に凹入する凹曲面２６が形成されている。
【００３３】
上部嵌合片２０の後端部上面には、係合部としての左右方向を向く係合突片２７が上向きに突設され、この係合突片２７は、仕切り部材１８の装着部であるガイド部材１０における上部ガイド片１１の左右方向の中央部に形成された、被係合部としての係合溝２８に、下方より係合しうるようになっている。
【００３４】
仕切り部材１８をガイド部材１０の物品投入口９に取付けるには、図５の２点鎖線で示すように、仕切り部材１８を前傾させた状態で、まず下部嵌合片２２を物品投入口９に挿入し、下部の凹曲面２６を、下側の開口縁部の凸曲面１７に当接させる。
【００３５】
ついで、凸曲面１７を支点として仕切り部材１８全体を後向きに回動させ、その上部嵌合片２０を、物品投入口９内に、若干下向きに弾性変形させながら上部ガイド片１１の下面に沿って嵌合し、上部嵌合片２０に設けた係合突片２７を上部ガイド片１１の係合溝２８に係合させる。すると、上部嵌合片２０の上面と下部嵌合片２２の下面が、それぞれガイド部材１０の上部ガイド片１１の下面と下部ガイド片１２の上面に圧接するとともに、互いに補形をなしている上部の凸曲面１６と凹曲面２５同士、及び下部の凸曲面１７と凹曲面２６同士も互いに密に当接し、さらに、上向係合部２３と下向係合部２４が、投入口９の上下の開口縁の前面に当接する。この際、ガイド部材１０の上部ガイド片１１と下部ガイド片１２及び仕切り部材１８の上部嵌合片２０と下部嵌合片２２を、後ろ下方に傾斜させているので、仕切り部材１８を回動させて、上下の嵌合片２０、２２を、ガイド部材１０の上下のガイド片１１、１２間に支障なく嵌合することができる。
【００３６】
これにより、仕切り部材１８は、ガイド部材１０の物品投入口９の中央部に、互いの前面同士を同一面に整合させた状態で、がたなく、かつ前方に抜け外れるのが防止されて取付けられ、図１に示すように、左右方向に長い物品投入口９が、そのほぼ半分の開口幅の物品投入口２９、２９に、仕切り部材１８により左右２つに仕切られる。
【００３７】
仕切られた２つの物品投入口２９、２９は、例えば使用済みのＡ４サイズのコピー用紙やその他の書類等を、物品収納室４内に仕分けして投入して保管するのに用いられる。
このように、開口幅が左右方向に長い物品投入口９を、仕切り部材１８をもって、投入する書類等のサイズに適した開口幅の物品投入口２９に仕切ることにより、小サイズの書類等を、投入口２９より整然と物品収納室４内に投入することができ、投入した書類等が物品収納室４内において乱雑となるのが防止される。
なお、図１に示すように、仕切り部材１８の取付部と対応する物品載置板３の上面に、第２の仕切り部材である上下方向を向く仕切板３０を取付けて、物品収納室４を左右に仕切り、左右の物品投入口２９より投入された書類等が、仕切られた左右の収納室に収容されるようにしてもよい。このようにすると、物品収納室４内に、投入された書類等が整然と積み重ねられて保管されるので、それを取り出して再利用する際等に、揃える手間が省ける。
【００３８】
以上説明したように、収納箱体２の前面板５に形成された左右方向に長い一定の開口幅の物品投入口９を、その前方より仕切り部材１８を嵌合するだけで、投入する物品のサイズに適した開口幅の物品投入口２９、２９に簡単に仕切ることができる。また、仕切り部材１８は、その上部嵌合片２０を前面板５の背面側より下向きに弾性変形させ、係合突片２７を係合溝２８より離脱させることにより、取外すことができるので、元の開口幅の物品投入口９に戻すこともできる。
【００３９】
仕切り部材１８は、ねじ等の固定手段を一切使用せずに取付けうるので、収納箱体２や仕切り部材１８に特別な加工を施す必要がなく、加工工数や取付工数、部品点数などが削減されるとともに、体裁よく取り付けられる。
【００４０】
仕切り部材１８の後方を向く上部嵌合片２０と下部嵌合片２２とを、ガイド部材１０の後方を向く上部ガイド片１１と下部ガイド片１２との間に、広い領域で、かつ上部嵌合片２０を下方に弾性変形させて嵌合しているので、仕切り部材１８は安定よく取り付けられる。
【００４１】
上記実施形態では、１個の仕切り部材１８を、物品投入口９の中央部に取付けた例を説明したが、投入する書類等のサイズに応じて、仕切り部材１８を左右方向の任意の位置に、また２種類以上の書類等を投入するときには、その数だけ、仕切り部材１８を複数取付けてもよい。この際には、上部嵌合片２０に設けた係合突片２７が係合する係合溝２８の形成位置を変更したり、複数の係合溝２８を設けたりすればよい。なお、係合溝２８を左右方向に連続させれば、仕切り部材１８をスライドさせて、その左右位置を自由に変更することができる。
【００４２】
上述したように、仕切り部材１８は広い領域でガイド部材１０に嵌合され、かつ上部嵌合片２０を下向きに弾性変形させて抜けにくいようにしてあるので、仕切り部材１８を抜止めするための係合突片２７と、それが係合する係合溝２８は省略することもある。
【００４３】
上記実施形態では、前面板５の前板５aに、物品投入口９を有するガイド部材１０を取付けているが、このようなガイド部材１０を用いないで、前板５aに物品投入口９を直接設け、これに、仕切り部材１８を取付けるようにしてもよい。この際には、前板５aに設けた物品投入口の上下の開口縁に、上記上部ガイド片１１と下部ガイド片１２と同様の後向きのガイド片を、前板５aを後方に切り起こすなどして連設すればよい。
【００４４】
上記実施形態では、上部嵌合片２０と上部ガイド片１１に、互いに係合し合う係合突片２７と係合溝２８を設けているが、それらを、下部嵌合片２２と下部ガイド片１２側、もしくはその両方に設けてもよい。
【００４５】
本発明は、上記のように、書類等を投入して保管する収納箱体の外、郵便ポストやメールボックス等にも適用することができる。
【図面の簡単な説明】
【００４６】
【図１】本発明の一実施形態を示す収納箱体の正面図である。
【図２】図２のII-II線拡大縦断側面図である。
【図３】仕切り部材の拡大正面図である。
【図４】図３のIV-IV線縦断側面図である。
【図５】図１のV-V線拡大縦断側面図である。
【符号の説明】
【００４７】
１    収納箱体
２    収納箱体
３    物品載置板
４    物品収納室
５    前面板
５a   前板
５b   後板
６    取っ手
７    鍵
８    長孔
９    物品投入口
１０  ガイド部材
１１  上部ガイド片
１２  下部ガイド片
１３  開口
１４  下向片
１５  止めねじ
１６  凸曲面
１７  凸曲面
１８  仕切り部材
１９  基片
２０  上部嵌合片
２１  側片
２２  下部嵌合片
２３  上向係止部
２４  下向係止部
２５  凹曲面
２６  凹曲面
２７  係合突片(係合部)
２８  係合溝(被係合部)
２９  物品投入口
３０  仕切板(第２の仕切り部材)
【図１】
2009190753.tif 000003
【図２】
2009190753.tif 000004
【図３】
2009190753.tif 000005
【図４】
2009190753.tif 000006
【図５】
2009190753.tif 000007